(57)【要約】【課題】薬液の供給不足の回避と被塗布部に対する刺激の低減とを両立可能な薬液塗布器具及び薬液塗布具を提供すること。【解決手段】薬液塗布器具（１）であって、容器（１０）と、容器（１０）内が密閉された状態と薬液を容器（１０）外に塗布可能な状態とを切り替え可能な薬液塗布具（２０）と、を備え、薬液塗布具（２０）は、流出口を有する基体（３０）と、流出口を閉塞すること及び流出口を介して薬液を流出させることが可能な弁体（４０）と、を有し、基体（３０）は、画定縁部（３５）を含みかつ薬液を塗布するための塗布面（３４）と、抜止部（３６）と、を有し、弁体（４０）は、閉塞部（４４）と、付勢部（４６）と、突出部（４８）と、を有し、塗布面（３４）は、付勢力の作用方向に凸となるように湾曲する形状を有すること。【選択図】図２
2017105510.tif 000002
【特許請求の範囲】
【請求項１】
薬液塗布器具であって、
薬液を収容可能な収容部及び前記収容部に接続されており特定方向に開口する口部を有する容器と、
前記口部に接続可能で、かつ、当該口部に接続された状態において前記容器内が密閉された状態と前記収容部内の前記薬液を前記容器外に塗布可能な状態とを切り替え可能な薬液塗布具と、を備え、
前記薬液塗布具は、
前記口部に接続可能で、かつ、前記薬液を流出させるための流出口を有する基体と、
前記基体に保持されており、かつ、前記流出口を閉塞すること及び前記流出口を介して被塗布部へ前記薬液を流出させることが可能な弁体と、を有し、
前記基体は、
前記流出口を画定する画定縁部を含み、かつ、前記被塗布部に前記薬液を塗布するための塗布面と、
当該基体からの前記弁体の離脱を阻止するように前記口部を基準として前記収容部と反対側から前記弁体に接触する抜止部と、を有し、
前記弁体は、
前記抜止部に接触することによって前記流出口を閉塞する閉塞部と、
前記閉塞部を前記抜止部に向けて付勢する付勢部と、
前記閉塞部が前記抜止部に接触した状態において前記画定縁部を含む平面よりも前記付勢部の付勢力の作用方向に突出する形状を有する突出部と、を有し、
前記閉塞部は、前記付勢部の付勢力に抗して前記突出部が押圧されたときに前記抜止部から離間することによって当該閉塞部と前記抜止部との間に前記容器内を前記流出口に連通させかつ前記薬液の通過を許容する流出流路を形成し、
前記塗布面は、前記付勢力の作用方向に凸となるように湾曲する形状を有する、薬液塗布器具。
【請求項２】
請求項１に記載の薬液塗布器具において、
前記突出部は、前記付勢力の作用方向について当該突出部の先端部に形成されておりかつ前記付勢力の作用方向に凸となるように湾曲する形状を有する湾曲面を有する、薬液塗布器具。
【請求項３】
請求項２に記載の薬液塗布器具において、
前記閉塞部が前記抜止部に接触した状態における前記湾曲面の外縁は、前記画定縁部を含む平面上に位置する、薬液塗布器具。
【請求項４】
請求項３に記載の薬液塗布器具において、
前記湾曲面の曲率半径は、前記塗布面の曲率半径よりも小さい、薬液塗布器具。
【請求項５】
請求項１ないし４のいずれかに記載の薬液塗布器具において、
前記流出口は、前記塗布面の頂部を含む位置に形成されている、薬液塗布器具。
【請求項６】
請求項１ないし５のいずれかに記載の薬液塗布器具において、
前記流出口は、それぞれが前記塗布面の頂部から離間した位置でかつ前記塗布面の周方向に沿って間欠的に並ぶように形成された複数の流出孔を有し、
前記突出部は、各流出孔内において前記塗布面よりも外側に突出する形状を有する複数の突出要素を有する、薬液塗布器具。
【請求項７】
請求項１ないし６のいずれかに記載の薬液塗布器具において、
前記塗布面には、前記流出口から流出した前記薬液を保持可能な薬液保持部が形成されている、薬液塗布器具。
【請求項８】
薬液を収容可能な収容部及び前記収容部に接続されており特定方向に開口する口部を有する容器の前記口部に接続可能で、かつ、当該口部に接続された状態において前記容器内が密閉された状態と前記収容部内の前記薬液を前記容器外に塗布可能な状態とを切り替え可能な薬液塗布具であって、
前記口部に接続可能で、かつ、前記薬液を流出させるための流出口を有する基体と、
前記基体に保持されており、かつ、前記流出口を閉塞すること及び前記流出口を介して被塗布部へ前記薬液を流出させることが可能な弁体と、を有し、
前記基体は、
前記流出口を画定する画定縁部を含み、かつ、前記被塗布部に前記薬液を塗布するための塗布面と、
当該基体からの前記弁体の離脱を阻止するように前記口部を基準として前記収容部と反対側から前記弁体に接触する抜止部と、を有し、
前記弁体は、
前記抜止部に接触することによって前記流出口を閉塞する閉塞部と、
前記閉塞部を前記抜止部に向けて付勢する付勢部と、
前記閉塞部が前記抜止部に接触した状態において前記画定縁部を含む平面よりも前記付勢部の付勢力の作用方向に突出する形状を有する突出部と、を有し、
前記閉塞部は、前記付勢部の付勢力に抗して前記突出部が押圧されたときに前記抜止部から離間することによって当該閉塞部と前記抜止部との間に前記容器内を前記流出口に連通させかつ前記薬液の通過を許容する流出流路を形成し、
前記塗布面は、前記付勢力の作用方向に凸となるように湾曲する形状を有する、薬液塗布具。
【発明の詳細な説明】
【技術分野】
【０００１】
本発明は、薬液を塗布するための薬液塗布器具に関する。
【背景技術】
【０００２】
従来、皮膚等の被塗布部に薬液を塗布するための薬液塗布器具が知られている。例えば、特許文献１には、薬液を収容する容器と、容器に接続された栓体と、栓体に接続された内蓋と、スポンジと、を備える薬液塗布器具が開示されている。栓体は、容器の口部に接続（圧入）されている。内蓋には、薬液の流出口が形成されている。内蓋のうち前記流出口を取り囲む流出部は、容器の内部から外部に向かうにしたがって次第に前記流出口が小さくなるように傾斜する形状に形成されている。また、栓体には、スプリング及び可動弁が接続されている。可動弁は、前記流出部に面接触する形状を有する肩部と、肩部から容器の外側に向かって突出する突起部と、を有している。スプリングは、肩部を前記流出部に向かって付勢する。突起部の外形は、前記流出口よりも小さく設定されており、突起部は、内蓋の外面よりも外部に突出する形状を有している。スポンジの外縁は、内蓋の外縁に固定されている。スポンジは、内側から外側に向かって突起部に付勢されることによって外向きに凸となるように膨出する形状に維持されている。
【０００３】
この薬液塗布器具を用いた薬液の皮膚への塗布は、例えば以下のようにして行われる。まず、スポンジの外面が下を向く姿勢で当該外面を皮膚に押し付ける。このとき、突起部がスプリングの付勢力に抗して内蓋の内側に向かって押圧されることによって流出部と肩部との間に隙間が形成されるので、流出口を通じて容器内の薬液が内蓋外に流出する。この薬液は、スポンジに含浸する。その後、薬液塗布器具をそのまま皮膚に沿って側方に移動させる。これにより、スポンジに染み込んだ薬液が皮膚に塗布される。
【先行技術文献】
【特許文献】
【０００４】
【特許文献１】実公昭５１−４７５６２号公報
【発明の概要】
【発明が解決しようとする課題】
【０００５】
特許文献１に記載されるような薬液塗布器具では、被塗布部（皮膚等）の汚れがスポンジに付着することによって当該スポンジに目詰まりが生じ、薬液の供給量が不足するおそれがある。
【０００６】
そこで、スポンジを使用しないこと（取り除くこと）が考えられる。しかしながら、単純にスポンジが取り除かれた場合、薬液の塗布時にはスポンジとは異なる部材（突起部や内蓋）が皮膚と接触することになるので、被塗布部への刺激が大きくなる。
【０００７】
本発明の目的は、薬液の供給不足の回避と被塗布部に対する刺激の低減とを両立可能な薬液塗布器具及び薬液塗布具を提供することである。
【課題を解決するための手段】
【０００８】
前記課題を解決するための手段として、本発明は、薬液塗布器具であって、薬液を収容可能な収容部及び前記収容部に接続されており特定方向に開口する口部を有する容器と、前記口部に接続可能で、かつ、当該口部に接続された状態において前記容器内が密閉された状態と前記収容部内の前記薬液を前記容器外に塗布可能な状態とを切り替え可能な薬液塗布具と、を備え、前記薬液塗布具は、前記口部に接続可能で、かつ、前記薬液を流出させるための流出口を有する基体と、前記基体に保持されており、かつ、前記流出口を閉塞すること及び前記流出口を介して被塗布部へ前記薬液を流出させることが可能な弁体と、を有し、前記基体は、前記流出口を画定する画定縁部を含み、かつ、前記被塗布部に前記薬液を塗布するための塗布面と、当該基体からの前記弁体の離脱を阻止するように前記口部を基準として前記収容部と反対側から前記弁体に接触する抜止部と、を有し、前記弁体は、前記抜止部に接触することによって前記流出口を閉塞する閉塞部と、前記閉塞部を前記抜止部に向けて付勢する付勢部と、前記閉塞部が前記抜止部に接触した状態において前記画定縁部を含む平面よりも前記付勢部の付勢力の作用方向に突出する形状を有する突出部と、を有し、前記閉塞部は、前記付勢部の付勢力に抗して前記突出部が押圧されたときに前記抜止部から離間することによって当該閉塞部と前記抜止部との間に前記容器内を前記流出口に連通させかつ前記薬液の通過を許容する流出流路を形成し、前記塗布面は、前記付勢力の作用方向に凸となるように湾曲する形状を有する、薬液塗布器具を提供する。
【０００９】
本薬液塗布器具では、付勢部の付勢力に抗して突出部が押圧されたときに流出流路及び流出口を通じて塗布面に薬液が供給されるので、薬液の供給不足が回避され、さらに、塗布面が付勢力の作用方向に凸となるように湾曲しているので、被塗布部（皮膚等）への薬液の塗布時に塗布面が被塗布部に与える刺激が低減される。
【００１０】
この場合において、前記突出部は、前記付勢力の作用方向について当該突出部の先端部に形成されておりかつ前記付勢力の作用方向に凸となるように湾曲する形状を有する湾曲面を有することが好ましい。
【００１１】
このようにすれば、塗布面及び突出部の先端部（被塗布部に主に接触する部位）がともに付勢力の作用方向に凸となるように湾曲する形状であるので、被塗布部への薬液の塗布時に被塗布部が受ける刺激が一層低減される。
【００１２】
さらにこの場合において、前記閉塞部が前記抜止部に接触した状態における前記湾曲面の外縁は、前記画定縁部を含む平面上に位置することが好ましい。
【００１３】
このようにすれば、突出部の被塗布部への引っ掛かりが抑制される。具体的に、突出部のうち塗布面の画定縁部から外側に突出している部位は湾曲面を構成するので、塗布面と突出部（湾曲面）との境界の被塗布部への引っ掛かりが抑制される。
【００１４】
また、本薬液塗布器具において、前記湾曲面の曲率半径は、前記塗布面の曲率半径よりも小さいことが好ましい。
【００１５】
このようにすれば、湾曲面の曲率半径が塗布面のそれと同じ場合に比べて突出部（湾曲面）の画定縁部からの突出量が大きくなるので、突出部の変位量（押圧ストローク）、すなわち、薬液の供給量を確保することができる。
【００１６】
また、前記流出口は、前記塗布面の頂部を含む位置に形成されていてもよい。
【００１７】
あるいは、前記流出口は、それぞれが前記塗布面の頂部から離間した位置でかつ前記塗布面の周方向に沿って間欠的に並ぶように形成された複数の流出孔を有し、前記突出部は、各流出孔内において前記塗布面よりも外側に突出する形状を有する複数の突出要素を有していてもよい。
【００１８】
この態様では、いずれかの突出要素が付勢部の付勢力に抗して押圧されることにより、当該突出要素に対応する流出孔から塗布面に薬液が供給されるので、薬液塗布器具の使用時の姿勢の制限が緩和される。
【００１９】
また、本薬液塗布器具において、前記塗布面には、前記流出口から流出した前記薬液を保持可能な薬液保持部が形成されていることが好ましい。
【００２０】
このようにすれば、塗布面からの薬液の滴下が抑制される。
【００２１】
また、本発明は、薬液を収容可能な収容部及び前記収容部に接続されており特定方向に開口する口部を有する容器の前記口部に接続可能で、かつ、当該口部に接続された状態において前記容器内が密閉された状態と前記収容部内の前記薬液を前記容器外に塗布可能な状態とを切り替え可能な薬液塗布具であって、前記口部に接続可能で、かつ、前記薬液を流出させるための流出口を有する基体と、前記基体に保持されており、かつ、前記流出口を閉塞すること及び前記流出口を介して被塗布部へ前記薬液を流出させることが可能な弁体と、を有し、前記基体は、前記流出口を画定する画定縁部を含み、かつ、前記被塗布部に前記薬液を塗布するための塗布面と、当該基体からの前記弁体の離脱を阻止するように前記口部を基準として前記収容部と反対側から前記弁体に接触する抜止部と、を有し、前記弁体は、前記抜止部に接触することによって前記流出口を閉塞する閉塞部と、前記閉塞部を前記抜止部に向けて付勢する付勢部と、前記閉塞部が前記抜止部に接触した状態において前記画定縁部を含む平面よりも前記付勢部の付勢力の作用方向に突出する形状を有する突出部と、を有し、前記閉塞部は、前記付勢部の付勢力に抗して前記突出部が押圧されたときに前記抜止部から離間することによって当該閉塞部と前記抜止部との間に前記容器内を前記流出口に連通させかつ前記薬液の通過を許容する流出流路を形成し、前記塗布面は、前記付勢力の作用方向に凸となるように湾曲する形状を有する、薬液塗布具を提供する。
【００２２】
本薬液供給具は、容器の口部に接続されることにより、付勢部の付勢力に抗して突出部が押圧されたときに流出流路及び流出口を通じて塗布面に薬液が供給されるので、薬液の供給不足が回避され、さらに、塗布面が付勢力の作用方向に凸となるように湾曲しているので、被塗布部（皮膚等）への薬液の塗布時に塗布面が被塗布部に与える刺激が低減される。
【発明の効果】
【００２３】
以上のように、本発明によれば、薬液の供給不足の回避と被塗布部に対する刺激の低減とを両立可能な薬液塗布器具及び薬液塗布具を提供することができる。
【図面の簡単な説明】
【００２４】
【図１】本発明の一実施形態の薬液塗布器具の斜視図である。
【図２】容器内が密閉された状態の断面図である。
【図３】弁体の側面図である。
【図４】流出流路が形成された状態の断面図である。
【図５】薬液塗布具の変形例の側面図である。
【図６】図５に示される薬液塗布具の平面図である。
【発明を実施するための形態】
【００２５】
本発明の一実施形態の薬液塗布器具１について、図１〜図４を参照しながら説明する。
【００２６】
図１に示されるように、本薬液塗布器具１は、容器１０と、容器１０に接続可能な薬液塗布具２０と、を備えている。
【００２７】
容器１０は、薬液（図示略）を収容する収容部１２と、収容部１２に接続された口部１４と、を有する。口部１４は、特定方向（図２の上下方向）に開口する形状を有する。口部１４の外周面には、雄ねじ部１５が形成されている。なお、口部１４には、図示略のキャップが螺合される。キャップの内周面には、口部１４に形成された雄ねじ部１５に螺合する雌ねじ部が形成されている。
【００２８】
薬液塗布具２０は、口部１４に接続された状態において容器１０内が密閉された状態と収容部１２内の薬液を容器１０外に塗布可能な状態とを切り替え可能なユニットである。具体的に、薬液塗布具２０は、口部１４に接続可能な基体３０と、基体３０に保持された弁体４０と、を有する。
【００２９】
基体３０は、被接続部３２と、塗布面３４と、抜止部３６と、を有している。本実施形態では、被接続部３２、塗布面３４及び抜止部３６は、一体成形されている。ただし、これらは別部材で形成されてもよい。
【００３０】
被接続部３２は、口部１４に対して着脱自在に接続可能な部位である。被接続部３２は、円筒状である。被接続部３２の外径は、口部１４の内径よりもわずかに小さく設定されている。
【００３１】
塗布面３４は、被塗布部（皮膚等）に薬液を塗布するための面である。塗布面３４は、被接続部３２の一端側（図２の上側）に接続されている。塗布面３４は、被接続部３２が口部１４に接続（圧入）された状態において容器１０の外側（図２の上側）に向かって凸となるように湾曲する形状を有している。この塗布面３４には、薬液を流出させるための流出口３４ａ（図４を参照）が形成されている。換言すれば、塗布面３４は、流出口３４ａを画定する画定縁部３５を有している。本実施形態では、画定縁部３５は、塗布面３４の頂部を含む部位に形成されている。
【００３２】
抜止部３６は、基体３０からの弁体４０の離脱を阻止するように口部１４を基準として収容部１２と反対側（図１では上側）から弁体４０に接触する。具体的に、抜止部３６は、被接続部３２の中心軸を中心とする周方向の全域にわたって弁体４０に接触する形状を有する。抜止部３６は、塗布面３４の内側（図１では下側）に形成されている。抜止部３６は、容器１０の外側に向かうにしたがって当該抜止部３６の外径が小さくなるように傾斜する形状（円錐台状）に形成されている。抜止部３６の上端は、画定縁部３５につながっている。つまり、塗布面３４と抜止部３６との境界が画定縁部３５を構成している。
【００３３】
本実施形態では、塗布面３４の外縁部に、流出口３４ａから流出した薬液を保持可能な薬液保持部３８が形成されている。本実施形態では、基体３０は、塗布面３４の外縁から側方に張り出す張出部３９を有しており、この張出部３９と塗布面３４との境界が薬液保持部３８を構成している。ただし、薬液保持部３８の構成は、これに限られない。例えば、薬液保持部３８として、塗布面３４の外縁部に薬液を保持可能な溝が形成されてもよい。
【００３４】
弁体４０は、流出口３４ａを閉塞すること及び流出口３４ａを介して塗布面３４へ薬液を流出させることが可能である。具体的に、弁体４０は、被保持部４２と、閉塞部４４と、付勢部４６と、突出部４８と、を有している。被保持部４２、閉塞部４４、付勢部４６及び突出部４８は、一体成形されている。ただし、これらは別部材で形成されてもよい。
【００３５】
被保持部４２は、基体３０に保持される部位である。具体的に、基体３０は、被接続部３２の下端部から当該被接続部３２の径方向の内向きに突出する環状の受け部３３を有しており、被保持部４２は、受け部３３に保持される。被保持部４２は、円環状に形成されている。
【００３６】
閉塞部４４は、抜止部３６に接触することによって流出口３４ａを閉塞する。閉塞部４４は、抜止部３６に対して面接触する形状を有している。本実施形態では、閉塞部４４は、円錐台状に形成されている。
【００３７】
付勢部４６は、閉塞部４４を抜止部３６に向けて付勢する。付勢部４６は、被保持部４２と閉塞部４４とを接続している。本実施形態では、図３に示されるように、付勢部４６は、３本の螺旋状のばね部材により構成されている。この付勢部４６の伸縮により、閉塞部４４が付勢部４６の付勢力の作用方向と平行な方向（図２の上下方向）に変位する。閉塞部４４が抜止部３６に当接する状態では、付勢部４６は自然長よりも圧縮されている。つまり、付勢部４６は、閉塞部４４を常時抜止部３６に押し付けており、図２は、閉塞部４４が抜止部３６に押し付けられることにより、容器１０内が密閉された状態を示している。一方、図４に示されるように、閉塞部４４は、付勢部４６の付勢力に抗して突出部４８が押圧されたときに抜止部３６から離間することによって当該閉塞部４４と抜止部３６との間に容器１０内を流出口３４ａに連通させかつ薬液の通過を許容する流出流路Ｓを形成する。
【００３８】
突出部４８は、閉塞部４４から前記付勢力の作用方向に突出する形状を有する。より具体的には、突出部４８は、閉塞部４４が抜止部３６に接触した状態（図２の状態）において画定縁部３５を含む平面よりも外側に突出する形状を有する。付勢部４６の付勢力の作用方向についての突出部４８の先端部（図２では上端部）には、湾曲面４９が形成されている。湾曲面４９は、前記付勢力の作用方向に凸となるように湾曲する形状を有する。本実施形態では、閉塞部４４が抜止部３６に接触した状態における湾曲面４９の外縁は、画定縁部３５を含む平面上に位置している。つまり、本実施形態では、湾曲面４９と閉塞部４４との境界が画定縁部３５を含む面上に位置している。換言すれば、突出部４８の表面の全体が湾曲面４９を構成している。ただし、湾曲面４９の外縁は、画定縁部３５を含む平面よりも外側に位置してもよい。湾曲面４９の曲率半径は、塗布面３４の曲率半径よりも小さく設定されている。
【００３９】
次に、薬液塗布器具１の使用方法について説明する。以下では、被供給部が皮膚の場合、つまり、本薬液塗布器具１を用いて皮膚に薬液を塗布する場合について説明する。
【００４０】
まず、突出部４８（湾曲面４９）が下を向く姿勢で当該突出部４８を皮膚に押し付ける。このとき、突出部４８の頂部が画定縁部３５を含む平面上かあるいはそれよりも僅かに内側に位置するまで突出部４８が付勢部４６の付勢力に抗して押圧される。これにより、図４に示されるように、閉塞部４４と抜止部３６との間に流出流路Ｓが形成されるので、当該流出流路Ｓ及び流出口３４ａを通じて容器１０内の薬液が塗布面３４に供給される。ここで、被塗布部の面積が画定縁部３５の面積よりも大きい場合、突出部４８のそれ以上の押圧は規制されるので、つまり、流出流路Ｓの拡大が規制されるので、薬液の過剰供給が抑制される。
【００４１】
そして、そのまま薬液塗布器具１を皮膚に沿って移動させることにより、薬液が皮膚の所望する領域に塗布される。
【００４２】
以上に説明したように、本薬液塗布器具１では、付勢部４６の付勢力に抗して突出部４８が押圧されたときに流出流路Ｓ及び流出口３４ａを通じて塗布面３４に薬液が供給されるので、薬液の供給不足が回避され、さらに、塗布面３４が付勢力の作用方向に凸となるように湾曲しているので、被塗布部（皮膚等）への薬液の塗布時に塗布面３４が被塗布部に与える刺激が低減される。
【００４３】
また、本実施形態では、突出部４８の表面が湾曲面４９を構成しているので、つまり、被塗布部に主に接触する部位がともに付勢力の作用方向に凸となるように湾曲する形状であるので、被塗布部への薬液の塗布時に被塗布部が受ける刺激が一層低減される。
【００４４】
また、閉塞部４４が抜止部３６に接触した状態における湾曲面４９の外縁は、画定縁部３５を含む平面上に位置するので、突出部４８の被塗布部への引っ掛かりが抑制される。具体的に、突出部４８のうち塗布面３４の画定縁部３５から外側に突出している部位は湾曲面４９を構成するので、塗布面３４と突出部４８（湾曲面４９）との境界の被塗布部への引っ掛かりが抑制される。
【００４５】
さらに、塗布面３４には、薬液を保持可能な薬液保持部３８が形成されているので、塗布面３４からの薬液の滴下が抑制される。
【００４６】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、湾曲面４９の曲率半径は、塗布面３４の曲率半径と同じに設定されてもよい。ただし、湾曲面４９の曲率半径は、上記実施形態のように、塗布面３４の曲率半径よりも小さく設定されることが好ましい。このようにすれば、湾曲面４９の曲率半径が塗布面３４のそれと同じ場合に比べて突出部４８（湾曲面４９）の画定縁部３５からの突出量が大きくなるので、突出部４８の変位量（押圧ストローク）、すなわち、薬液の供給量を確保することができる。
【００４８】
また、突出部４８の先端部は、湾曲面４９ではなく前記付勢力の作用方向と直交する平坦面であってもよい。
【００４９】
また、図５及び図６は、上記実施形態の薬液塗布具２０の変形例を示している。この薬液塗布具２１では、塗布面３４には、流出口として、複数の（この例では３つの）流出孔が形成されている。各流出孔は、塗布面３４の頂部から離間した位置でかつ塗布面３４の周方向に沿って間欠的に並ぶように配置されている。また、突出部４８は、各流出孔内において塗布面よりも外側に突出する形状を有する複数の突出要素４８ａを有している。この態様では、いずれかの突出要素４８ａが付勢部４６の付勢力に抗して押圧されることにより、当該突出要素４８ａに対応する流出孔から塗布面３４に薬液が供給される。よって、薬液塗布器具の使用時の被塗布部に対する姿勢の制限が緩和される。換言すれば、薬液塗布器具の使用時に被塗布部に対して取り得る姿勢の範囲が拡大する。
【符号の説明】
【００５０】
１    薬液塗布器具
１０    容器
１２    収容部
１４    口部
２０    薬液塗布具
２１    薬液塗布具
３０    基体
３４    塗布面
３４ａ  流出口
３５    画定縁部
３６    抜止部
３８    薬液保持部
４０    弁体
４４    閉塞部
４６    付勢部
４８    突出部
４８ａ  突出要素
４９    湾曲面
Ｓ    流出流路
【図１】
2017105510.tif 000003
【図２】
2017105510.tif 000004
【図３】
2017105510.tif 000005
【図４】
2017105510.tif 000006
【図５】
2017105510.tif 000007
【図６】
2017105510.tif 000008